(57)【要約】【課題】各種調整の手動制御と電動制御との切替や，各種操作リングの回転方向の正負の逆転に拘わらず，各種調整を行う際に，全体を常に一体として作動させ，所望するトルク抵抗を得ることができるレンズ装置を提供すること。【解決手段】手動制御または電動制御によりレンズ２１０，２２０および／またはアイリスを駆動するレンズ装置１００であって，レンズおよび／またはアイリスを内蔵し，外周面に周設部２６４を設けたレンズ鏡胴２６０と，周設部と接触面を有し，少なくとも手動制御位置と電動制御位置との二位置間で移動可能であり，接触面の接触面積は，電動制御位置にある時よりも，手動制御位置にある時の方が大きくなるように構成された摺動部２７０と，摺動部を手動制御位置と電動制御位置との間で移動させる位置切替部３３０と，を備えることを特徴とする。【選択図】    図１
2007212685.tif 000002
【特許請求の範囲】
【請求項１】
手動制御または電動制御によりレンズおよび／またはアイリスを駆動するレンズ装置であって，
前記レンズおよび／またはアイリスを内蔵し，外周面に周設部を設けたレンズ鏡胴と，
前記周設部と接触面を有し，少なくとも手動制御位置と電動制御位置との二位置間で移動可能であり，前記接触面の接触面積は，前記電動制御位置にある時よりも，前記手動制御位置にある時の方が大きくなるように構成された摺動部と，
前記摺動部を前記手動制御位置と前記電動制御位置との間で移動させる位置切替部と，
を備えることを特徴とする，レンズ装置。
【請求項２】
前記摺動部と前記周設部はそれぞれ櫛歯部を備え，前記接触面は前記櫛歯部同士の頂面の接触により構成されることを特徴とする，請求項１に記載のレンズ装置。
【請求項３】
レンズを駆動してズーム調整を行うレンズ装置であって，
前記レンズの駆動を規制するカム機構と，
前記レンズを内蔵し，外周面に周設部を設けたレンズ鏡胴と，
前記周設部と接触面を有し，前記カム機構の動作と連動して前記接触面を摺動し，前記接触面の接触面積を変化させ，前記レンズのズーム時に前記カム機構により発生するトルク抵抗の変化を減殺するトルク抵抗を発生する摺動部と，
を備えたことを特徴とする，レンズ装置。
【請求項４】
さらに，前記摺動部を少なくとも，前記ズーム調整の電動制御時における電動制御位置と，手動制御時における手動制御位置との二位置間で移動させる位置切替部を備え，
前記接触面の接触面積は，前記摺動部が前記電動制御位置にある時よりも，前記手動制御位置にある時の方が大きいことを特徴とする，請求項３に記載のレンズ装置。
【請求項５】
前記摺動部と前記周設部は，それぞれ櫛歯部を備え，前記接触面は，前記櫛歯部同士の頂面の接触により構成されることを特徴とする，請求項３に記載のレンズ装置。
【発明の詳細な説明】
【技術分野】
【０００１】
本発明は，レンズ装置に関する。
【背景技術】
【０００２】
レンズ装置のズーム調整，フォーカス調整，アイリス調整などの各種調整は，手動制御または電動制御により行われる。例えば，ズーム調整は，レンズ装置に内蔵されるレンズを駆動するズームリングを，手動または電動で回転させることにより行われる。手動でズームリングを回転させる場合には，ズームリングを回転させる際に生じるトルク抵抗（ズーム抵抗）を大きくした方が精密なズーム調整を容易に行うことができる。一方，電動でズームリングを回転させる場合には，ズーム抵抗を小さくした方がズームリングに伝達する動力および電力を節約することができる。
【０００３】
このようなズーム調整の手動制御時および電動制御時において望まれるズーム抵抗をそれぞれ満たせるよう，手動制御時には小さな，電動制御時には大きなズーム抵抗を別個に設定したレンズ装置が開示されている（特許文献１。）。詳述すると，上記レンズ装置は，ズームリングに連動して回転するトルク発生部材を２種類設け，手動制御時と電動制御時とで，ロック歯車を用いて回転するトルク発生部材を切替えることにより，異なるズーム抵抗を得ることを可能としたものである。
【特許文献１】特許第３４０３１４６号公報
【発明の開示】
【発明が解決しようとする課題】
【０００４】
しかし，上記のようにロック歯車を用いて回転するトルク発生部材を切替えるとすると，バックラッシ（Ｂａｃｋｌａｓｈ）に基づく弊害が生じるという問題があった。すなわち，歯車には遊びがあるため，上記トルク抵抗の切替またはズームリングの回転方向の正負を逆転させた直後にズーム抵抗が急激に増減し，作動に悪影響を及ぼしかねなかった。
【０００５】
本発明は，上記問題に鑑みてなされたものであり，本発明の目的とするところは，各種調整の手動制御と電動制御との切替や，各種操作リングの回転方向の正負の逆転に拘わらず，各種調整を行う際に，全体を常に一体として作動させ，所望するトルク抵抗を得ることが可能な，新規かつ改良されたレンズ装置を提供することにある。
【課題を解決するための手段】
【０００６】
上記課題を解決するために，本発明のある観点によれば，手動制御または電動制御によりレンズおよび／またはアイリスを駆動するレンズ装置が提供される。このレンズ装置は，レンズおよび／またはアイリスを内蔵し，外周面に周設部を設けたレンズ鏡胴と，周設部と接触面を有し，少なくとも手動制御位置と電動制御位置との二位置間で移動可能であり，接触面の接触面積は，電動制御位置にある時よりも，手動制御位置にある時の方が大きくなるように構成された摺動部と，摺動部を手動制御位置と電動制御位置との間で移動させる位置切替部と，を備えることを特徴とする。かかる構成によれば，摺動部は，例えばズーム調整時に常に一体として回転し，位置切替部の動作に基づき摺動部が接触面を摺動することにより周設部との接触面積が切替えられる。接触面積が変化すれば，接触面で発生するトルク抵抗も変化するため，手動制御時には，電動制御時より大きなトルク抵抗（ズーム抵抗）を得ることができる。
【０００７】
摺動部と周設部はそれぞれ櫛歯部を備え，接触面は櫛歯部同士の頂面の接触により構成されるとしてもよい。かかる構成によれば，摺動部の櫛歯部の頂面と，レンズ鏡胴の櫛歯部の頂面との接触により接触面積が得られるため，摺動部とレンズ鏡胴の櫛歯の頂面が一致するときトルク抵抗を最大に，摺動部とレンズ鏡胴の櫛歯の頂面がずれて接触面積が極めて少ないときトルク抵抗を最小にすることができる。さらに，このような接触面積を変化させる際，摺動部を光軸に沿って，櫛歯の頂面の幅分を移動させるだけで十分なズーム抵抗の増減を得ることができる。
【０００８】
また，本発明の別の観点によると，レンズを駆動してズーム調整を行うレンズ装置が提供される。このレンズ装置は，レンズの駆動を規制するカム機構と，レンズを内蔵し，外周面に周設部を設けたレンズ鏡胴と，周設部と接触面を有し，カム機構の動作と連動して接触面を摺動し，接触面の接触面積を変化させ，レンズのズーム時にカム機構により発生するトルク抵抗の変化を減殺するトルク抵抗を発生する摺動部と，を備えたことを特徴とする。かかる構成によれば，摺動部は，カム機構により発生するトルクの変化を減殺するため，カム機構により発生するトルク抵抗（カム抵抗）と，接触面で発生するトルク抵抗（付加抵抗）が加算されたトルク抵抗（ズーム抵抗）を安定して得ることができる。
【０００９】
レンズ装置は，摺動部を，少なくともズーム調整の電動制御時における電動制御位置と，手動制御時における手動制御位置との二位置間で移動させる位置切替部をさらに備え，接触面の接触面積は，摺動部が電動制御位置にある時よりも，手動制御位置にある時の方が大きくなるよう構成してもよい。かかる構成によれば，摺動部は，ズーム調整時に常に一体として回転し，位置切替部の動作に基づき摺動部が接触面を摺動することにより周設部との接触面積が切替えられる。接触面積が変化すれば，接触面で発生するトルク抵抗も変化するため，手動制御時には，電動制御時より大きなトルク抵抗（ズーム抵抗）を得ることができる。
【００１０】
摺動部と周設部はそれぞれ櫛歯部を備え，接触面は櫛歯部同士の頂面の接触により構成されるとしてもよい。かかる構成によれば，摺動部の櫛歯部の頂面と，レンズ鏡胴の櫛歯部の頂面との接触により接触面積が得られるため，摺動部とレンズ鏡胴の櫛歯の頂面が一致するときトルク抵抗を最大に，摺動部とレンズ鏡胴の櫛歯の頂面がずれて接触面積が極めて少ないときトルク抵抗を最小にすることができる。さらに，このような接触面積を変化させる際，摺動部を光軸に沿って，櫛歯の頂面の幅分を移動させるだけで十分なズーム抵抗の増減を得ることができる。
【発明の効果】
【００１１】
以上説明したように本発明によれば，各種調整の手動制御と電動制御との切替や，各種操作リングの回転方向の正負の逆転に拘わらず，各種調整を行う際に，全体を常に一体として作動させ，所望するトルク抵抗を得ることができる。
【発明を実施するための最良の形態】
【００１２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。なお，レンズ装置は，ズーム調整の他に，フォーカス調整やアイリス調整もできるが，以下の説明では，主にズーム調整に本実施形態によるレンズ装置を適用した場合を例にとって説明する。
【００１３】
（第１の実施形態）
図１は，本実施形態によるレンズ装置１００のズーム手動制御時における断面図である。図２は，レンズ装置１００のレンズ装置本体２００の各部構成を示した分離斜視図である。図３は，レンズ装置１００のズームリング２４０や摺動部２７０などの関係を示した説明図である。図４は，レンズ装置本体２００と駆動ユニット３００の関係を示す概略外観図である。以下，図１〜図４を用いて本実施形態によるレンズ装置１００の各部構成について説明する。
【００１４】
レンズ装置１００は，図１に示したように，レンズ装置本体２００と，駆動ユニット３００とを含む。レンズ装置本体２００は，第１移動レンズ群２１０や第２移動レンズ群２２０などのレンズを内蔵し，電動制御時には，駆動ユニット３００からの制御に基づいて上記各レンズ群を光軸に沿って移動させ，ズーム調整を行うことができる。
【００１５】
駆動ユニット３００は，ガイドレール３１０と，切替歯車３２０と，位置切替部３３０と，サーボモータ３４０と，初段歯車３５０とを含む。
【００１６】
ガイドレール３１０は，円弧状に形成され，ガイドネジ２７２の回転する方向および光軸方向位置を規制するための溝３１４を周方向に有する。また，ガイドレール３１０の位置は，切替歯車３２０と連動して光軸に沿って変化する。
【００１７】
切替歯車３２０は，回転軸が同一である２つの歯車を有する。一方は，電動制御時にはサーボモータ３４０の初段歯車３５０と歯合し，他方はズームリング２４０の歯車と歯合する。また，ガイドレール３１０を，レンズ装置１００の光軸方向に切替歯車３２０と連動して移動させるための伝達手段を備える。
【００１８】
位置切替部３３０は，光軸に沿って切替歯車３２０の位置を変化させる。位置切替部３３０の構成および動作の詳細ついては後述する。
【００１９】
レンズ装置本体２００は，図２に示したように，第１移動レンズ群２１０と，第２移動レンズ群２２０と，カム筒２３０と，ズームリング２４０と，レンズ鏡胴２６０と，周設部２６４と，摺動部２７０とを含む。
【００２０】
第１移動レンズ群２１０と，第２移動レンズ群２２０は，凹レンズまたは凸レンズなどを含み，変倍レンズとして協働し，被写体の倍率を調整する。
【００２１】
カム筒２３０は，円筒状に構成され，第１カム溝２１６および第２カム溝２２６を含み，カム機構としての役割を有する。第１カム溝２１６および第２カム溝２２６の溝の形状は光学系によって定まるが，図２では，第１カム溝２１６は直線状に，第２カム溝２２６は円弧状に形成された例を図示している。なお，第１カム溝２１６および第２カム溝２２６を，カム筒２３０の外周面（中心角）を３等分するように３つずつ設けることとしてもよい。
【００２２】
このようなカム筒２３０は，第１移動レンズ群２１０と，第２移動レンズ群２２０を内蔵する。詳述すると，第１ネジ２１２は，第１カム溝２１６を貫通し，第１レンズ群２１０と螺合する。その際，第１ネジ２１２は，第１ローラ２１４を介して第１カム溝２１６の縁部と接する。同様に，第２移動レンズ群２２０は，第２カム溝２２６を貫通する第２ネジ２２２と螺合する。その際，第２ネジ２２２は，第２ローラ２２４を介して第２カム溝２２６の縁部と接する。
【００２３】
ズームリング２４０は，駆動ユニット３００側の切替歯車３２０と歯合する歯車２４４を有する。また，ズームリング２４０は，ズームリング２４０とカム筒２３０を螺合する第３ネジ２５０の貫通孔（図示せず。），および摺動部２７０と螺合するガイドネジ２７２の移動経路となるガイド溝２４２を有する。
【００２４】
レンズ鏡胴２６０は，カム筒２３０を内側に嵌合させ，内周部には，第１ネジ２１２が移動するための第１移動溝２１８および第２ネジ２２２が移動するための第２移動溝２２８を有する。これら各移動溝２１８，２２８は，各カム溝２１６，２２６と同じ数だけ，例えば３本ずつ設けることができる。また，レンズ鏡胴２６０外表面の一側には，第１櫛歯部（周設部）２６４が設けられる。第１櫛歯部２６４は，多数の溝を光軸方向に設けて構成するとしてもよい。
【００２５】
摺動部２７０は，レンズ鏡胴２６０と，ズームリング２４０との間に位置する円筒形状の部材である。摺動部２７０の内周面には，第２櫛歯部２７４が設けられる。第２櫛歯部２７４は，第１櫛歯部２６４と同様に多数の溝を光軸方向に設けて構成するとしてもよい。また，摺動部２７０は，ガイドネジ２７２と螺合するネジ溝２７６も有する。
【００２６】
このようなズームリング２４０，レンズ鏡胴２６０および摺動部２７０は，図３に示したような位置関係にある。すなわち，レンズ鏡胴２６０を摺動部２７０が覆い，摺動部２７０をズームリング２４０がさらに覆う。また，このうち摺動部２７０のみがガイドネジ２７２により，レンズ装置１００の光軸方向に摺動することができる。なお，図３では，レンズ鏡胴２６０と摺動部２７０の櫛歯の頂面がずれており，接触面積が少ない状態を示している。
【００２７】
また，図４に示したように，ガイドレール３１０がガイドネジ２７２の移動方向を規制し，切替歯車３２０およびズームリング２４０が歯合することにより，レンズ装置本体２００と駆動ユニット３００とが物理的に連結される。
【００２８】
なお，ガイドレール３１０は外周部に直方体状の突起部３１２を有する。ガイドレール３１０は，該突起部３１２を介して駆動ユニット３００に設けられた摺動溝３６０を移動することができる。また，駆動ユニット３００はズームシーソ３７０を備え，操作者によるズーム指示を検出し，サーボモータ３４０を駆動させる。
【００２９】
次に，図１，図５および図６を用いて本実施形態によるレンズ装置１００の動作を説明する。図５は，レンズ装置１００のズーム電動制御時における断面図である。図６は，レンズ鏡胴２６０と摺動部２７０との接触の様子を示した説明図である。
【００３０】
まず，レンズ装置１００における動力の伝達について説明する。
【００３１】
電動制御時には，サーボモータ３４０が駆動し，ズーム調整の動力源となる。サーボモータ３４０が駆動することにより発生したトルクは，初段歯車３５０，切替歯車３２０を介してズームリング２４０に伝達される。手動制御時には，操作者がズームリング２４０を回転させる動力源となる。電動制御時と手動制御時のこの後の動作は，同一である。
【００３２】
ズームリング２４０は，トルクを伝達（負荷）されると，該トルクに基づいてカム筒２３０および摺動部２７０を回転させる。カム筒２３０が回転すると，第１移動レンズ群２１０と，第２移動レンズ群２２０とがカム筒２３０内を光軸に沿って移動する。また，摺動部２７０は，回転する際に，レンズ鏡胴２６０の第１櫛歯部２６４との接触面積に基づいてトルク抵抗（付加抵抗）を発生する。
【００３３】
続いて，電動制御時と手動制御時との接触面積の切替動作について説明する。
【００３４】
手動制御時には，ズームリングを回転させる際に生じるトルク抵抗（ズーム抵抗）を大きくした方が精密なズーム調整を容易に行うことができる。一方，電動制御時には，ズーム抵抗を小さくした方がズームリングに伝達する動力および電力を節約することができる。かかる観点から，本発明の実施の一形態によれば，手動制御時には接触面積を大きく，電動制御時には接触面積を小さくすることができるレンズ装置が提供される。
【００３５】
上記動作を実現すべく，本実施形態によるレンズ装置は，位置切替部３３０を含む。電動制御時に，図５に示した位置切替部３３０を反時計回りに回転させると，位置切替部３３０が有するピン３３２が切替歯車３２０を図５の左方向に押し出す。すると，図１に示したように切替歯車３２０と初段歯車３５０との歯合が外れ，手動制御に切替わる。また，切替歯車３２０の移動にガイドレール３１０も追従するため，ガイドレール３１０に鋼軸方向位置を規制される摺動部２７０も，レンズ鏡胴２６０の外表面を図５の左方向に摺動する。
【００３６】
なお，図１に示した手動制御時に，切替歯車３２０を時計回りに回転させると，切替歯車３２０が図５に示した電動制御時の位置に戻る必要がある。したがって，切替歯車３２０は，図１の右側方向に弾性付勢されるとしてもよい。
【００３７】
接触面積は，電動制御時に手動制御時より大きくなればよいが，例えば図６のように変化させるとしてもよい。図６は，レンズ鏡胴２６０および摺動部２７０の断面図を示している。レンズ鏡胴２６０および摺動部２７０は円筒形状であり，レンズ鏡胴２６０の外周面の第１櫛歯部２６４には光軸に沿って複数の溝が設けられており，摺動部２７０の内周面の第２櫛歯部２７４にも光軸に沿って複数の溝が設けられている。第１櫛歯部２６４と第２櫛歯部２７４の，各溝の間の凸部である頂面同士が接し，これが接触面となる。図６（ａ）は，電動制御時における接触面積の様子を，図６（ｂ）は，手動制御時における接触面積の様子を表している。
【００３８】
電動制御時には，図６（ａ）に示したようにレンズ鏡胴２６０と摺動部２７０の櫛歯の頂面をずらした状態とし，接触面積を小さくすることができる。一方，手動制御時には，図６（ｂ）に示したようにレンズ鏡胴２６０と摺動部２７０の櫛歯の頂面を一致させた状態とし，接触面積を大きくすることができる。
【００３９】
以上説明したように，本発明の第１の実施形態によれば，電動制御と手動制御との切替後や，ズームリング２４０の回転方向の逆転後に，急激なズーム抵抗の増減を防止し，安定したズーム抵抗を得ることができる。すなわち，上記切替後や回転方向の逆転後には連続的なズーム抵抗を得ることが可能である。
【００４０】
なお，フォーカス調整やアイリス調整などに本実施形態によるレンズ装置１００の機構を適用することもできる。この場合，フォーカス操作リング，アイリス操作リング，マスターリングなどと連動して，レンズ装置１００の光軸を回転軸にして回転する部材が，摺動部２７０として機能することとなる。
【００４１】
（第２の実施形態）
次に，第２の実施形態によるレンズ装置について説明する。図２に示したように，ズームリング２４０にトルクが供給されると，ズームリング２４０は，ピン２５０を介してカム筒２３０にも該トルクを伝達する。カム筒２３０は，伝達されたトルクに基づき回転するが，その際に第１ネジ２１２および第２ネジ２２２との摩擦に起因してトルク抵抗（カム抵抗）を生じる。以下，図７および図８を用いてカム抵抗について説明する。
【００４２】
図７は，カム筒２３０の外表面の一例を示した説明図である。図８は，カム筒２３０の回転位置とカム抵抗との関係を示したグラフである。
【００４３】
第１カム溝２１６は，図７に示したように直線形状に，第２カム溝２２６は円弧状に形成することができる。このとき，カム筒２３０が図７矢印方向に回転することができる。なお，このようなカム溝の形状および数は光学系により異なり，ここではその一例を示している。
【００４４】
第１ネジ２１２と第１カム溝２１６との間に第１ローラ２１４を介して生じる摩擦は，第１カム溝２１６の縁部に発生する垂直抗力の大きさに影響される。第１カム溝２１６の伸張方向とカム筒２３０の回転方向とが交差する角度はほぼ一定であるので，上記垂直抗力はカム筒２３０の位置に拘らずほぼ一定である。したがって，第１カム溝２１６と第１ネジ２１２との摩擦に起因するトルク抵抗もほぼ一定であり，その様子は，図８の直線Ｂに示したとおりである。
【００４５】
一方，第２ネジ２２２と第２カム溝２２６との間に第２ローラ２２４を介して生じる摩擦およびトルク抵抗は，上記の場合と異なり一定ではない。第２カム溝２２６が円弧状に形成されているため，第２カム溝２２６の縁部に発生する垂直抗力が，カム筒２３０の回転位置によって変動するからである。すなわち，第２カム溝２２６の接線の伸張方向とカム筒２３０の回転方向とが交差する角度が，垂直に近いほど大きな垂直抗力が発生するので，図７に示したＰ点およびＲ点付近では大きな垂直抗力が発生する。また，第２カム溝２２６の接線の伸張方向とカム筒２３０の回転方向とが交差する角度が，０に近づくほど発生する垂直抗力は小さくなるので，図７に示したＱ点付近では，発生する垂直抗力の小さくなる。この様子は，図８の曲線Ｃに示したとおりである。
【００４６】
そして，これら第１カム溝２１６および第２カム溝２２６において発生するトルク抵抗を加算した値が，カム抵抗であり，図８の曲線Ａに示したとおりである。このように，カム抵抗はカム筒２３０の回転位置によって異なる。
【００４７】
しかし，上記のようなカム抵抗の不均一性がズーム抵抗に反映されてしまうと，ズーム操作を安定して行う弊害となりかねない。そこで，本発明の実施の一形態によれば，カム抵抗の不均一性を付加抵抗を用いて減殺することができるレンズ装置４００が提供される。以下，さらに図９〜図１１を参照してカム抵抗の不均一性を減殺したズーム抵抗が得られるレンズ装置４００の構成を説明する。
【００４８】
図９は，上述のような付加抵抗を実現するガイドレール４１０の形状を示した外観図である。図１０は，ガイドレール４１０を適用した本実施形態における摺動部２７０とレンズ鏡胴２６０との接触面積の変化の様子を表している。図１１は，ガイドレール４１０を適用した本実施形態におけるズーム抵抗，付加抵抗およびカム抵抗の関係を示したグラフである。
【００４９】
本実施形態によるガイドレール４１０は，図９に示したように，円弧状に形成され，ガイドネジ２７２の移動方向を規制するためのガイド溝も円弧状に形成される。したがって，カム筒２３０が回転すると，摺動部２７０とレンズ鏡胴２６０との接触の程度は，図１０に示したように変化する。
【００５０】
図１０（ａ）〜（ｃ）は，電動制御時における接触面積の変化を表している。電動制御時において，ガイドネジ２７２が図９のｐ点に位置しているときは接触面積がほとんど無く，図１０（ａ）にその様子を示した。ガイドネジ２７２が図９のｑ点に移動すると，摺動部２７０が右に移動し，レンズ鏡胴２６０と摺動部２７０の櫛歯の頂面が半分程度ずつ接触する（図１０（ｂ））。ガイドネジ２７２がさらに図９のｒ点に移動すると，摺動部２７０が左に移動し，再び接触面積がほとんど無くなる（図１０（ｃ））。
【００５１】
図１０（ｄ）〜（ｆ）は，手動制御時における接触面積の変化を表している。電動制御時において，ガイドネジ２７２が図９のｐ点に位置しているときは，レンズ鏡胴２６０と摺動部２７０の櫛歯の頂面が半分程度ずつ接触している（図１０（ｄ））。ガイドネジ２７２が図９のｑ点に移動すると，摺動部２７０が右に移動し，レンズ鏡胴２６０と摺動部２７０の櫛歯の頂面のほぼ全体が接触する（図１０（ｅ））。ガイドネジ２７２がさらに図９のｒ点に移動すると，摺動部２７０が左に移動し，再びレンズ鏡胴２６０と摺動部２７０の櫛歯の頂面が半分程度ずつ接触する（図１０（ｆ））。
【００５２】
上述のように，ガイドネジ２７２の位置によって接触面積を可変とすることにより，付加抵抗は，図１１の曲線Ｄに示したように変化する。なお，ここでは，電動制御時における付加抵抗を例にとって図示している。すなわち，手動制御時には曲線Ｄより高く，形状は曲線Ｄと類似した曲線で示される付加抵抗を得ることができる。
【００５３】
そして，上記カム抵抗と付加抵抗を加算した値がズーム抵抗となり，図１１の直線Ｅのように表される。このように，本実施形態によれば，カム抵抗の不均一性を減殺したズーム抵抗を得ることができる。
【００５４】
また，図１０に示したように，電動制御時と手動制御時とで櫛歯の接触の程度を櫛歯の頂面の約半分ずらすことにより，カム抵抗の不均一性を減殺し，かつ電動制御時と手動制御時とで異なる安定したズーム抵抗を得ることができる。すなわち，第１の実施形態で例示したように，電動制御時と手動制御時とで櫛歯の接触の程度を，櫛歯の頂面一つ分ずらすとすると，摺動部２７０を右方向に移動させた場合，電動制御時には接触面積が増加し，手動制御時には接触面積が減少してしまい，所望する付加抵抗と反するトルク抵抗が発生しかねない。本実施形態は，かかる問題点を是正するものでもある。
【００５５】
なお，本実施形態では，切替部３３０により，電動制御時と手動制御時とで櫛歯の接触の程度を櫛歯の頂面の約半分ずらす構成を例にとって説明したが，切替部３３０を設けないこととしてもよい。すなわち，ガイドレール４１０を所定の円弧形態に形成し，電動制御時と手動制御時とで位置を切替えず，固定することとしても，カム筒２３０の回転位置によって変化するカム抵抗の不均一性を減殺することができる。
【００５６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５７】
例えば，第１の実施形態では，接触面積を手動制御時と電動制御時とでのみ切替える場合について説明したが，さらに段階を設けて切替えることとしてもよい。すなわち，手動制御時にさらに接触面積を段階的に，または連続的に調整可能となるように切替部３３０を構成することにより，使用者の好みや目的に応じて異なるズーム抵抗を得ることができる。
【００５８】
また，接触面積は，摺動部２７０を光軸方向に摺動させなくても，半径方向に摺動部２７０を移動させる，すなわち摺動部２７０とレンズ鏡胴との接触面積の大小ではなく，接触面の有無を付加抵抗に反映させることとしてもよい。
【図面の簡単な説明】
【００５９】
【図１】本実施形態によるレンズ装置１００のズーム手動制御時における断面図である。
【図２】レンズ装置１００のレンズ装置本体２００の各部構成を示した分離斜視図である。
【図３】レンズ装置１００のズームリング２４０や摺動部２７０などの関係を示した説明図である。
【図４】レンズ装置本体２００と駆動ユニット３００の関係を示す概略外観図である。
【図５】レンズ装置１００のズーム電動制御時における断面図である。
【図６】レンズ鏡胴２６０と摺動部２７０との接触の様子を示した説明図である。
【図７】カム筒２３０の外表面の一例を示した説明図である。
【図８】カム筒２３０の回転量とカム抵抗との関係を示したグラフである。
【図９】ガイドレール４１０の形状を示した外観図である。
【図１０】ガイドレール４１０を適用した本実施形態における接触面積の変化の様子を示した説明図である。
【図１１】ガイドレール４１０を適用した本実施形態におけるズーム抵抗，付加抵抗およびカム抵抗の関係を示したグラフである。
【符号の説明】
【００６０】
１００，４００      レンズ装置
２００      レンズ装置本体
２１０      第１移動レンズ群
２２０      第２移動レンズ群
２３０      カム筒
２４０      ズームリング
２６０      レンズ鏡胴
２６４      周設部（第１櫛歯部）
２７０      摺動部
３００      駆動ユニット
３１０，４１０      ガイドレール
３３０      位置切替部
【図１】
2007212685.tif 000003
【図２】
2007212685.tif 000004
【図３】
2007212685.tif 000005
【図４】
2007212685.tif 000006
【図５】
2007212685.tif 000007
【図６】
2007212685.tif 000008
【図７】
2007212685.tif 000009
【図８】
2007212685.tif 000010
【図９】
2007212685.tif 000011
【図１０】
2007212685.tif 000012
【図１１】
2007212685.tif 000013